(57)【要約】【課題】  インクヘッドユニットの移動に伴う重心移動による振動および記録装置全体の回転モーメントによる振動を防止することができる記録装置を提供すること。【解決手段】  記録装置（１）は、幅方向Ｘに移動するインクヘッドユニット４１と、前記インクヘッドユニット４１と逆方向へ移動し被記録媒体上のインクを乾燥する乾燥機構５１と、前記インクヘッドユニット４１および前記乾燥機構５１のうち質量が小さい方と同期して幅方向Ｘにおいて該小さい方の重心が移動する方向と同じ方向へ移動するバランスユニット３１と、を備え、該バランスユニット３１は、該バランスユニット３１と前記小さい方とが一体と考えた場合の重心である仮想重心の移動軌跡である第１軌跡Ｊ１が、前記インクヘッドユニット４１および前記乾燥機構５１のうち質量が大きい方の重心の移動軌跡である第２軌跡Ｊ２と同軸上となるように構成されていることを特徴とする。【選択図】図２
2010125833.tif 000002
【特許請求の範囲】
【請求項１】
被記録媒体の送り方向に対する幅方向に移動し、被記録媒体に対してインクを吐出するインクヘッドユニットと、
該インクヘッドユニットより送り方向下流側に設けられ、前記インクヘッドユニットと同期して幅方向において前記インクヘッドユニットの移動方向と逆方向へ該乾燥機構の重心が移動し、被記録媒体上のインクを乾燥する乾燥機構と、
前記インクヘッドユニットおよび前記乾燥機構のうち質量が小さい方と同期して幅方向において該小さい方の重心が移動する方向と同じ方向へ移動するバランスユニットと、を備え、
該バランスユニットの質量は、前記インクヘッドユニットの質量と、前記乾燥機構の質量との差分であり、
該バランスユニットは、該バランスユニットと前記小さい方とが一体と考えた場合の重心である仮想重心の移動軌跡である第１軌跡が、前記インクヘッドユニットおよび前記乾燥機構のうち質量が大きい方の重心の移動軌跡である第２軌跡と同軸上となるように構成されている記録装置。
【請求項２】
請求項１に記載の記録装置において、前記乾燥機構は、被記録媒体と対向しない位置において待機する待機位置を有する記録装置。
【請求項３】
請求項１または２に記載の記録装置において、前記インクヘッドユニットの質量は、前記乾燥機構の質量より大きい構成であって、
前記バランスユニットは、前記インクヘッドユニットより送り方向上流側に設けられ、被記録媒体を加熱する加熱手段を有する記録装置。
【請求項４】
請求項３に記載の記録装置において、前記バランスユニットの加熱手段は、温風を発生させる温風発生手段を有し、被記録媒体の表面に対して温風を送る構成である記録装置。
【請求項５】
請求項１乃至４のいずれか１項に記載の記録装置において、前記インクヘッドユニットと対向し、被記録媒体を支持する第１媒体支持部と、
該第１媒体支持部より送り方向上流側に設けられ、被記録媒体を支持する第２媒体支持部と、
該第２媒体支持部に設けられ、被記録媒体を予備加熱する予備加熱手段と、を有する記録装置。
【請求項６】
請求項１乃至５のいずれか１項に記載の記録装置において、前記乾燥機構は、対流式であって、送り方向に２以上の複数個配列され、気体を送出する送出口を有し、
該複数の送出口の向きは、幅方向へ互い違いに傾いて被記録媒体に向けられる構成である記録装置。
【請求項７】
請求項１乃至５のいずれか１項に記載の記録装置において、前記乾燥機構は、対流式であって、送り方向に３以上の奇数個配列され、それぞれ気体を送出する送風ユニットを有し、
一の該送風ユニットの質量は、前記インクヘッドユニットの質量より小さく設けられており、
前記３以上の奇数個の送風ユニットの移動方向は、幅方向へ互い違いにそれぞれ異なる構成であって、
前記互い違いの前記奇数個のうちの数が少ない方の送風ユニットの移動方向は、前記インクヘッドユニットの移動方向と同じ方向であり、
前記互い違いの前記奇数個のうちの数が多い方の送風ユニットの移動方向は、前記インクヘッドユニットの移動方向と逆方向であり、
前記バランスユニットの質量は、前記奇数個のうちの数が少ない方の送風ユニットの質量および前記インクヘッドユニットの質量の和と、前記奇数個のうちの数が多い方の複数の送風ユニットの質量の和との差分であり、
前記バランスユニットの移動方向は、前記インクヘッドユニットの移動方向と逆方向であり、
前記バランスユニットは、該バランスユニットと前記奇数個のうちの数が多い方の複数の送風ユニットとが一体と考えた場合の重心である仮想重心の移動軌跡である第１軌跡が、前記インクヘッドユニットと前記奇数個のうちの数が少ない方の送風ユニットとが一体と考えた場合の重心である仮想重心の移動軌跡である第２軌跡と同軸上となるように構成されている記録装置。
【請求項８】
請求項１乃至７のいずれか１項に記載の記録装置において、前記乾燥機構は、対流式であって、温風を発生させる構成である記録装置。
【発明の詳細な説明】
【技術分野】
【０００１】
本発明は、被記録媒体の送り方向に対する幅方向に移動し、被記録媒体に対してインクを吐出するインクヘッドユニットと、該インクヘッドユニットより送り方向下流側に設けられ、前記インクヘッドユニットと同期して幅方向に移動し、被記録媒体上のインクを乾燥する乾燥機構と、を備えた記録装置に関する。  
本願において、記録装置には、インクジェットプリンタ、ワイヤドットプリンタ、レーザープリンタ、ラインプリンタ、複写機、ファクシミリ等の種類が含まれるものとする。
【背景技術】
【０００２】
従来では、特許文献１に示す如く、記録装置の一例であるプリンタは、インクヘッドユニットとしての印字ヘッドと、ダミーヘッドとを有していた。  
図１０に示すのは、従来技術におけるプリンタの概略を示す平面図である。  
図１０に示す如く、従来のプリンタ１００は、インクヘッドユニットとしての印字ヘッド１０１と、ダミーヘッド１０２とを有していた。このうち、前記印字ヘッド１０１は、用紙の幅方向へ移動しながら用紙に対してインクを吐出することができるように設けられていた。一方、前記ダミーヘッド１０２は、前記印字ヘッド１０１と同一の質量であって、幅方向へ移動することができるように設けられていた。さらに、前記ダミーヘッド１０２は、幅方向において、前記印字ヘッド１０１と逆位相の関係となる位置に設けられ、前記印字ヘッド１０１の移動方向と逆方向へ同じタイミングで移動するように構成されていた。従って、幅方向における左右の重量変化による振動を防止することができた。
【特許文献１】特開２００１−３２８３０５号公報
【発明の開示】
【発明が解決しようとする課題】
【０００３】
しかしながら、前記印字ヘッド１０１の重心が移動する軌跡の位置と、前記ダミーヘッド１０２の重心が移動する軌跡の位置とが異なる構成だった。従って、前記印字ヘッド１０１および前記ダミーヘッド１０２が幅方向へ移動したとき、プリンタ全体１００において、回転モーメントＭが発生する。即ち、幅方向左右の重心変化による振動に対する対策であって、回転モーメントＭを考慮したものではなかった。従って、回転モーメントＭによる振動が、印字精度向上の妨げとなる虞がある。
【０００４】
本発明は、このような状況に鑑み成されたものであり、その課題は、インクヘッドユニットの移動に伴う記録装置全体の重心移動による振動および記録装置全体の回転モーメントによる振動を防止することができる記録装置を提供することである。
【課題を解決するための手段】
【０００５】
上記課題を達成するため、本発明の第１の態様の記録装置は、被記録媒体の送り方向に対する幅方向に移動し、被記録媒体に対してインクを吐出するインクヘッドユニットと、該インクヘッドユニットより送り方向下流側に設けられ、前記インクヘッドユニットと同期して幅方向において前記インクヘッドユニットの移動方向と逆方向へ該乾燥機構の重心が移動し、被記録媒体上のインクを乾燥する乾燥機構と、前記インクヘッドユニットおよび前記乾燥機構のうち質量が小さい方と同期して幅方向において該小さい方の重心が移動する方向と同じ方向へ移動するバランスユニットと、を備え、該バランスユニットの質量は、前記インクヘッドユニットの質量と、前記乾燥機構の質量との差分であり、該バランスユニットは、該バランスユニットと前記小さい方とが一体と考えた場合の重心である仮想重心の移動軌跡である第１軌跡が、前記インクヘッドユニットおよび前記乾燥機構のうち質量が大きい方の重心の移動軌跡である第２軌跡と同軸上となるように構成されていることを特徴とする。
【０００６】
ここで、前記バランスユニットの質量は、前記「差分」と、必ずしもぴったり同一でなくてもよい。質量の誤差を含む概念である。  
また、前記「同軸上」とは、必ずしもぴったり同軸でなくてもよい。位置の誤差を含む概念である。
【０００７】
本発明の第１の態様によれば、前記バランスユニットの質量は、前記インクヘッドユニットの質量と、前記乾燥機構の質量との差分である。従って、前記インクヘッドユニットおよび前記乾燥機構が幅方向へ移動する際において、幅方向の左右のバランスを相殺して左右の振動を無にすることができる。  
さらに、前記バランスユニットは、該バランスユニットと前記小さい方とが一体と考えた場合の重心である仮想重心の移動軌跡である第１軌跡が、前記インクヘッドユニットおよび前記乾燥機構のうち質量が大きい方の重心の移動軌跡である第２軌跡と同軸上となるように構成されている。従って、前記インクヘッドユニットおよび前記乾燥機構の幅方向における移動に伴う記録装置全体に生じようとする回転モーメントを相殺することができる。そして、該回転モーメントによる振動を無にすることができる。その結果、記録精度を向上させることができる。
【０００８】
本発明の第２の態様は、第１の態様において、前記乾燥機構は、被記録媒体と対向しない位置において待機する待機位置を有することを特徴とする。  
本発明の第２の態様によれば、第１の態様と同様の作用効果に加え、前記乾燥機構は、被記録媒体と対向しない位置において待機する待機位置を有する。従って、前記乾燥機構が待機中において、該乾燥機構が、被記録媒体と対向する領域を温めすぎる虞がない。前記乾燥機構が常にＯＮ状態である構成のときに特に有効である。
【０００９】
本発明の第３の態様は、第１または第２の態様において、前記インクヘッドユニットの質量は、前記乾燥機構の質量より大きい構成であって、前記バランスユニットは、前記インクヘッドユニットより送り方向上流側に設けられ、被記録媒体を加熱する加熱手段を有することを特徴とする。  
本発明の第３の態様によれば、第１または第２の態様と同様の作用効果に加え、前記バランスユニットは、前記インクヘッドユニットより送り方向上流側に設けられ、被記録媒体を加熱する加熱手段を有する。従って、前記インクヘッドユニットにより記録が実行される前に、予め被記録媒体の表面を温めることができる。
【００１０】
その結果、記録を実行する際に効率よくインクを乾燥させることができる。即ち、記録中における乾燥を促進することができ、前記インクヘッドユニットから多量のインクを順次吐出した場合において、インクが滲む虞を低減することができる。  
また、被記録媒体の裏側からではなく、表側から温めるので、被記録媒体に厚みがある場合でも確実に表面を温めることができる。被記録媒体に厚みがある場合に有効である。
【００１１】
本発明の第４の態様は、第３の態様において、前記バランスユニットの加熱手段は、温風を発生させる温風発生手段を有し、被記録媒体の表面に対して温風を送る構成であることを特徴とする。  
本発明の第４の態様によれば、第３の態様と同様の作用効果に加え、前記バランスユニットの加熱手段は、被記録媒体の表面に対して温風を送る構成である。所謂、対流式である。  
ここで、「対流式」とは、気体や液体などの流体によって熱を伝える方式をいう。「対流式」は、「熱伝導式」と比較してムラなく熱を伝えやすい。「熱伝導式」とは、物体の内部を通って高温部から低温部へ熱を伝える方式をいう。即ち、物体が被噴射媒体と接触することにより熱を伝導する方式である。「接触式」ともいう。
【００１２】
従って、「熱伝導式」と比較して、効率よく、ムラなく被記録媒体の表面を温めることができる。  
また、被記録媒体の表面に対して温風を送る構成であるので、記録前において、被記録媒体の表面に付着したゴミ等の異物を除去することができる。その結果、吐出されたインクが異物に着弾して被記録媒体の表面に直接着弾せず、未記録の箇所が発生する所謂、白抜けが生じる虞がない。
【００１３】
本発明の第５の態様は、第１から第４のいずれか一の態様において、前記インクヘッドユニットと対向し、被記録媒体を支持する第１媒体支持部と、該第１媒体支持部より送り方向上流側に設けられ、被記録媒体を支持する第２媒体支持部と、該第２媒体支持部に設けられ、被記録媒体を予備加熱する予備加熱手段と、を有することを特徴とする。  
本発明の第５の態様によれば、第１から第４のいずれか一の態様と同様の作用効果に加え、被記録媒体を予備加熱する予備加熱手段が、前記第２媒体支持部に設けられている。従って、記録前に被記録媒体を予め温めることができる。その結果、記録中におけるインクの乾燥を促進することができる。  
また、上記第３および第４の態様を引用した場合は、被記録媒体の表裏の両側から温めることが可能であり、より効率よく温めることができる。その結果、被記録媒体の厚み方向における内部も温めることができ、しみ込んだインクを効率よく乾燥させることができる。特に、被記録媒体に厚みがある場合に有効である。
【００１４】
本発明の第６の態様は、第１から第５のいずれか一の態様において、前記乾燥機構は、対流式であって、送り方向に２以上の複数個配列され、気体を送出する送出口を有し、該複数の送出口の向きは、幅方向へ互い違いに傾いて被記録媒体に向けられる構成であることを特徴とする。  
本発明の第６の態様によれば、第１から第５のいずれか一の態様と同様の作用効果に加え、前記複数の送出口の向きは、幅方向へ互い違いに傾いて被記録媒体に向けられる構成である。従って、前記乾燥機構が被記録媒体の幅方向における側端部と対向した際、該側端部の下面に入り込む風量を、前記互い違いに傾けていない構成と比較して、低減することができる。その結果、前記送出口から送出された気体が前記側端部の下面に入り込むことによって該側端部が浮き上がる虞を低減することができる。
【００１５】
即ち、該側端部がめくり上がることを低減することができる。これにより、被記録媒体の位置がずれる虞がない。また、めくり上がることにより被記録媒体が前記インクヘッドユニット等と接触することを防止することができ、該接触することによる汚れを防止することができる。  
尚、前記送風口の数を、３以上の複数設けることが望ましい。気体が送出される範囲を送り方向に長尺にすることができ、被記録媒体の姿勢をバランス良く安定させることができるからである。
【００１６】
本発明の第７の態様は、第１から第５のいずれか一の態様において、前記乾燥機構は、対流式であって、送り方向に３以上の奇数個配列され、それぞれ気体を送出する送風ユニットを有し、一の該送風ユニットの質量は、前記インクヘッドユニットの質量より小さく設けられており、前記３以上の奇数個の送風ユニットの移動方向は、幅方向へ互い違いにそれぞれ異なる構成であって、前記互い違いの前記奇数個のうちの数が少ない方の送風ユニットの移動方向は、前記インクヘッドユニットの移動方向と同じ方向であり、前記互い違いの前記奇数個のうちの数が多い方の送風ユニットの移動方向は、前記インクヘッドユニットの移動方向と逆方向であり、前記バランスユニットの質量は、前記奇数個のうちの数が少ない方の送風ユニットの質量および前記インクヘッドユニットの質量の和と、前記奇数個のうちの数が多い方の複数の送風ユニットの質量の和との差分であり、前記バランスユニットの移動方向は、前記インクヘッドユニットの移動方向と逆方向であり、前記バランスユニットは、該バランスユニットと前記奇数個のうちの数が多い方の複数の送風ユニットとが一体と考えた場合の重心である仮想重心の移動軌跡である第１軌跡が、前記インクヘッドユニットと前記奇数個のうちの数が少ない方の送風ユニットとが一体と考えた場合の重心である仮想重心の移動軌跡である第２軌跡と同軸上となるように構成されていることを特徴とする。
【００１７】
本発明の第７の態様によれば、第１から第５のいずれか一の態様と同様の作用効果に加え、前記３以上の奇数個の送風ユニットの移動方向は、幅方向へ互い違いにそれぞれ異なる構成である。従って、前記３以上の奇数個の送風ユニットは、被記録媒体の両側側端部と互い違いに対向することができる。そして、該両側側端部の一方に対する前記送風ユニットからの風量、即ち、吹付け量を半減することができる。また、吹付け量を分散させることができる。その結果、被記録媒体の側端部のめくり上がりを低減することができる。
【００１８】
本発明の第８の態様は、第１から第７のいずれか一の態様において、前記乾燥機構は、対流式であって、温風を発生させる構成であることを特徴とする。  
本発明の第８の態様によれば、第１から第７のいずれか一の態様と同様の作用効果に加え、前記乾燥機構は、対流式であって、温風を発生させる構成である。従って、単なる送風と比較して、効率よくインクを乾燥させることができる。
【発明を実施するための最良の形態】
【００１９】
以下、本発明の実施の形態を図面に基づいて説明する。  
図１に示すのは、本発明に係る「記録装置」或いは「液体噴射装置」の一例としてのインクジェットプリンタ（以下「プリンタ」と言う）１の全体の概略を示す側面図である。また、図２に示すのは、本発明に係るプリンタの全体の概略を示す平面図である。  
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００２０】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２１】
図１および図２に示す如く、プリンタ１は、給送部１０と、紙揃え部２０と、プレヒート部３０と、記録部４０と、ポストヒート部５０と、排出部６０とを備えている。このうち、給送部１０は、ローラおよびベルトを備え、用紙Ｐを送り方向下流側へ給送することができるように構成されている。また、紙揃え部２０は、ローラと、ベルトと、用紙Ｐの側端と当接するガイド部（図示せず）とを備えている。そして、給送された用紙Ｐの姿勢を正しながら用紙Ｐを送り方向下流側へ送ることができるように構成されている。
【００２２】
また、プレヒート部３０は、紙揃え部２０から送られた用紙Ｐを、記録部４０へ送る前の段階において、予め熱を加えて温めてから送り方向下流側の記録部４０へ送ることができるように構成されている。具体的には、プレヒート部３０は、第１サクションベルト機構３２と、予備加熱時用紙支持部３３と、予備加熱手段３４と、バランスユニット３１とを有している。
【００２３】
このうち、第１サクションベルト機構３２は、三つのローラと、該三つのローラに巻回された複数の穴を有するベルトと、該複数の穴を介して空気を吸引する吸引手段（図示せず）とを有する。そして、第１サクションベルト機構３２の上面側に形成される予備加熱時用紙支持部３３が、用紙Ｐを裏面から支持することができるように設けられている。また、予備加熱時用紙支持部３３には、熱伝導式の予備加熱手段３４が設けられている。
【００２４】
ここで、「熱伝導式」とは、物体の内部を通って高温部から低温部へ熱を伝える方式をいう。即ち、物体が用紙Ｐと接触することにより熱を伝導する方式である。  
例えば、予備加熱手段３４の一例としてニクロム線を用いる手段がある。該ニクロム線を通電させることにより、ニクロム線自体が発熱し、予備加熱時用紙支持部３３を介して用紙Ｐの裏面に熱を伝導することができる。また、前述した吸引手段は、ベルトの複数の穴を介して予備加熱時用紙支持部３３の上方の空気を下方へ吸引するように構成されている。
【００２５】
従って、吸引手段は、予備加熱時用紙支持部３３上の用紙Ｐを、予備加熱時用紙支持部３３にぴったりと吸着させることができる。その結果、用紙Ｐを加熱することができる。  
また、バランスユニット３１は、予備加熱時用紙支持部３３の上方に、用紙Ｐの送り方向Ｙに対する幅方向Ｘへ移動可能に設けられている。具体的には、幅方向Ｘに延設された図示しない第１ガイド軸に案内されながら、図示しないモータの動力によって移動するように構成されている。バランスユニット３１の作用効果については、後述するものとする。
【００２６】
またさらに、記録部４０は、プレヒート部３０から送られた用紙Ｐの表面に対して、インクを吐出して記録を実行することができるように設けられている。具体的には、記録部４０は、第２サクションベルト機構４２と、記録時用紙支持部４３と、インクヘッドユニット４１とを有している。このうち、第２サクションベルト機構４２は、前述した第１サクションベルト機構３２の構成と同様である。その説明は省略する。
【００２７】
また、記録時用紙支持部４３は、第２サクションベルト機構４２の上面側に形成され、用紙Ｐを裏面から支持することができるように設けられている。またさらに、インクヘッドユニット４１は、記録時用紙支持部４３の上方に、用紙Ｐの幅方向Ｘへ移動可能に設けられている。具体的には、幅方向Ｘに延設された図示しない第２ガイド軸に案内されながら、図示しないモータの動力によって移動するように構成されている。
【００２８】
そして、インクヘッドユニット４１が幅方向Ｘへ移動しながらインクを用紙Ｐの表面に対して吐出することにより、記録が実行されるように構成されている。  
尚、記録が実行されない所謂、待機状態では、インクヘッドユニット４１は、図２に示す如く、記録領域外の待機位置Ｗ２に位置する。  
ここで、「記録領域」とは、インクヘッドユニット４１が記録時用紙支持部４３と対向する領域であって、インクを吐出して記録を実行する領域をいう。  
記録が実行された後、用紙Ｐは、第２サクションベルト機構４２によって送り方向下流側のポストヒート部５０へ送られる。
【００２９】
また、ポストヒート部５０は、記録された用紙Ｐ上のインクを乾燥することができるように構成されている。具体的には、ポストヒート部５０は、第３サクションベルト機構５４と、乾燥時用紙支持部５５と、乾燥機構５１とを有している。このうち、第３サクションベルト機構５４は、前述した第１サクションベルト機構３２の構成と同様である。その説明は省略する。
【００３０】
また、乾燥時用紙支持部５５は、第３サクションベルト機構５４の上面側に形成され、用紙Ｐを裏面から支持することができるように設けられている。またさらに、乾燥機構５１は、乾燥時用紙支持部５５の上方に、用紙Ｐの幅方向Ｘへ移動可能に設けられている。具体的には、幅方向Ｘに延設された図示しない第３ガイド軸に案内されながら、図示しないモータの動力によって移動するように構成されている。
【００３１】
また、乾燥機構５１は、加熱手段５２の一例である対流式の温風ヘッド５３を有している。  
ここで、「対流式」とは、気体や液体などの流体によって熱を伝える方式をいう。  
温風ヘッド５３は、温めた風を吹出すことができるように構成されている。そして、用紙Ｐの表面に対して温風を吹出すことによって、用紙Ｐの表面に着弾したインクを乾燥させることができる。  
尚、温風ヘッド５３の内部構造は、ニクロム線等の熱発生手段（図示せず）と、ファン等の風力発生手段（図示せず）とから構成されているものとする。
【００３２】
また、乾燥機構５１は、詳しくは後述するが、幅方向Ｘにおいて、インクヘッドユニット４１に対して逆位相となる位置関係を有し、かつ、インクヘッドユニット４１の移動方向と逆方向へ移動するように構成されている。従って、記録が実行されない所謂、待機状態では、図２に示す如く、乾燥領域外の待機位置Ｗ１に位置する。  
ここで、「乾燥領域」とは、乾燥機構５１が乾燥時用紙支持部５５と対向する領域をいう。また、乾燥機構５１は、プリンタ１の電源がＯＮ状態のときは基本的にＯＮ状態であり、温風ヘッド５３から温風を常に吹出している。その理由は、ＯＮ−ＯＦＦを切替える構成とすると、ＯＮに切替えたときに温風の温度が所望の温度に達するまでタイムラグがあり、インクを乾燥する効率が低下する虞があるからである。
【００３３】
そして、待機状態では、乾燥領域外の待機位置Ｗ１に位置するので、乾燥時用紙支持部５５を加熱し過ぎる虞がない。  
また、乾燥された用紙Ｐは、第３サクションベルト機構５４によって送り方向下流側の排出部６０へ送られる。  
排出部６０は、ローラおよびベルトを備え、用紙Ｐを送り方向下流側へ排出することができるように構成されている。
【００３４】
続いて、バランスユニット３１の作用効果について説明する。  
本実施形態において、インクヘッドユニット４１の質量と、乾燥機構５１の質量との関係は、インクヘッドユニット４１の方が、乾燥機構５１より重く構成されている。この関係を前提として、バランスユニット３１の質量は、インクヘッドユニット４１の質量と乾燥機構５１の質量との差となるように構成されている。即ち、バランスユニット３１の質量および乾燥機構５１の質量の和が、インクヘッドユニット４１の質量と等しくなるように構成されている。  
例えば、インクヘッドユニット４１の質量を１０００ｇ、乾燥機構５１の質量を５００ｇとした場合、バランスユニット３１の質量は５００ｇとなる。
【００３５】
さらに、バランスユニット３１は、幅方向Ｘにおいて、乾燥機構５１と同じ位相に位置し、かつ、乾燥機構５１と同期して同じ方向へ移動するように構成されている。また、バランスユニット３１と乾燥機構５１とを一体に考えた場合の重心である仮想重心の移動軌跡である第１軌跡Ｊ１は、インクヘッドユニット４１の重心の移動軌跡である第２軌跡Ｊ２と同軸上となるように構成されている。
【００３６】
噛み砕いて説明すると、バランスユニット３１と乾燥機構５１とを一体に考えた場合の重心である仮想重心は、幅方向Ｘへ移動する。従って、前記第１軌跡Ｊ１は、幅方向Ｘに描かれる。同様に、インクヘッドユニット４１の重心も、幅方向Ｘへ移動する。従って、前記第２軌跡Ｊ２は、幅方向Ｘへ描かれる。そして、本実施形態では、前記第１軌跡Ｊ１は、前記第２軌跡Ｊ２と重なるように構成されている。
【００３７】
ここで、前記第１軌跡Ｊ１が前記第２軌跡Ｊ２と重なるためには、送り方向Ｙにおいて、バランスユニット３１の重心位置と、乾燥機構５１の重心位置との間に、インクヘッドユニット４１の重心位置が位置することが必要である（図２参照）。また、送り方向Ｙおよび幅方向Ｘと直交する鉛直方向Ｚにおいても同様に、バランスユニット３１の重心位置と、乾燥機構５１の重心位置との間に、インクヘッドユニット４１の重心位置が位置することが必要である（図１参照）。  
尚、必要に応じて、バランスユニット３１を予備加熱時用紙支持部３３より下方に設けてもよいのは勿論である。
【００３８】
また、バランスユニット３１と乾燥機構５１とを一体に考えた場合の重心である仮想重心の移動方向と、インクヘッドユニット４１の重心の移動方向とが逆向きに構成されている。噛み砕いて説明すると、バランスユニット３１は、乾燥機構５１と同じタイミングで、即ち、同期して同じ方向へ移動するように構成されている。さらに、バランスユニット３１および乾燥機構５１は、インクヘッドユニット４１と同じタイミングで、即ち、同期して逆方向へ移動するように構成されている。
【００３９】
その結果、一つ目の作用効果として、インクヘッドユニット４１、乾燥機構５１およびバランスユニット３１が幅方向Ｘに移動する際、インクヘッドユニット４１の重心移動により生じる力と、乾燥機構５１およびバランスユニット３１の仮想重心移動により生じる力とを相殺させることができる。そして、幅方向Ｘにおけるプリンタ全体としての重心を安定させることができる。即ち、幅方向Ｘにおける左右のバランスをとることができ、幅方向Ｘの振動を相殺して無にすることができる。その結果、記録精度を向上させることができる。
【００４０】
また、二つ目の作用効果として、インクヘッドユニット４１、乾燥機構５１およびバランスユニット３１が幅方向Ｘに移動する際、インクヘッドユニット４１の重心移動による回転モーメントと、乾燥機構５１およびバランスユニット３１の仮想重心移動による回転モーメントとを相殺させることができる。そして、プリンタ全体として生じる回転モーメントを無にすることができる。
【００４１】
具体的には、Ｚ軸を軸とした回転モーメントおよびＹ軸を軸とした回転モーメントが生じる虞がない。その結果、記録精度をより向上させることができる。  
尚、記録部４０に用紙Ｐが無く記録動作を行っていない場合、そもそも振動による記録精度の低下の虞がない。係る場合、インクヘッドユニット４１およびバランスユニット３１を停止させた状態で、温風ヘッド５３のみを幅方向Ｘへ移動させてもよい。
【００４２】
本実施形態の記録装置としてのプリンタ１は、被記録媒体の一例である用紙Ｐの送り方向Ｙに対する幅方向Ｘに移動し、用紙Ｐに対してインクを吐出するインクヘッドユニット４１と、インクヘッドユニット４１より送り方向下流側に設けられ、インクヘッドユニット４１と同期して幅方向Ｘにおいてインクヘッドユニット４１の移動方向と逆方向へ該乾燥機構５１の重心が移動し、用紙Ｐ上のインクを乾燥する乾燥機構５１と、インクヘッドユニット４１および乾燥機構５１のうち質量が小さい方（本実施形態では乾燥機構５１）と同期して幅方向Ｘにおいて該小さい方（本実施形態では乾燥機構５１）の重心が移動する方向と同じ方向へ移動するバランスユニット３１と、を備えている。
【００４３】
さらに、バランスユニット３１の質量（例えば、５００ｇ）は、乾燥機構５１が単体である場合、インクヘッドユニット４１の質量（例えば、１０００ｇ）と、乾燥機構５１の質量（例えば、５００ｇ）との差分であり、バランスユニット３１は、バランスユニット３１と前記小さい方（本実施形態では乾燥機構５１）とが一体と考えた場合の重心である仮想重心の移動軌跡である第１軌跡Ｊ１が、インクヘッドユニット４１および乾燥機構５１のうち質量が大きい方（本実施形態ではインクヘッドユニット４１）の重心の移動軌跡である第２軌跡Ｊ２と同軸上となるように構成されていることを特徴とする。
【００４４】
また、本実施形態において、乾燥機構５１は、幅方向Ｘへ移動しないとき、用紙Ｐと対向しない位置において待機する待機位置Ｗ１を有することを特徴とする。  
またさらに、本実施形態において、乾燥機構５１は、対流式であって、温風を発生させる構成である（第１）温風ヘッド５３を有することを特徴とする。
【００４５】
［他の実施形態１］
図３に示すのは、他の実施形態１に係るプリンタの全体の概略を示す平面図である。  
図３に示す如く、他の実施形態１に係るバランスユニット７１は、排出部６０に設けられている。  
尚、特に説明する部材以外は、前述した実施形態と同様であるので、同じ符号を用いると共にその説明は省略する。
【００４６】
バランスユニット７１は、前述した実施形態と同様に、幅方向Ｘに移動可能に設けられている。そして、他の実施形態１において、インクヘッドユニット７２の質量と、乾燥機構７３の質量との関係は、乾燥機構７３の方が、インクヘッドユニット７２より大となるように構成されている。即ち、前述した実施形態と質量の大小関係が逆の構成である。この関係を前提として、バランスユニット７１の質量は、インクヘッドユニット７２の質量と乾燥機構７３の質量との差となるように構成されている。即ち、バランスユニット７１の質量およびインクヘッドユニット７２の質量の和が、乾燥機構７３の質量と等しくなるように構成されている。  
例えば、インクヘッドユニット７２の質量を５００ｇ、乾燥機構７３の質量を１０００ｇとした場合、バランスユニット７１の質量は５００ｇとなる。
【００４７】
さらに、バランスユニット７１は、幅方向Ｘにおいて、インクヘッドユニット７２と同じ位相に位置し、かつ、インクヘッドユニット７２と同期して同じ方向へ移動するように構成されている。また、バランスユニット７１とインクヘッドユニット７２とを一体に考えた場合の重心である仮想重心の移動軌跡である第１軌跡Ｋ１は、乾燥機構７３の重心の移動軌跡である第２軌跡Ｋ２と同軸上となるように構成されている。
【００４８】
噛み砕いて説明すると、バランスユニット７１とインクヘッドユニット７２とを一体に考えた場合の重心である仮想重心は、幅方向Ｘへ移動する。従って、前記第１軌跡Ｋ１は、幅方向Ｘに描かれる。同様に、乾燥機構７３の重心も、幅方向Ｘへ移動する。従って、前記第２軌跡Ｋ２は、幅方向Ｘへ描かれる。そして、他の実施形態１では、前記第１軌跡Ｋ１は、前記第２軌跡Ｋ２と重なるように構成されている。
【００４９】
ここで、前記第１軌跡Ｋ１が前記第２軌跡Ｋ２と重なるためには、送り方向Ｙにおいて、インクヘッドユニット７２の重心位置と、バランスユニット７１の重心位置との間に、乾燥機構７３の重心位置が位置することが必要である（図３参照）。また、送り方向Ｙおよび幅方向Ｘと直交する鉛直方向Ｚにおいても同様に、インクヘッドユニット７２の重心位置と、バランスユニット７１の重心位置との間に、乾燥機構７３の重心位置が位置することが必要である（図示せず）。
【００５０】
また、バランスユニット７１とインクヘッドユニット７２とを一体に考えた場合の重心である仮想重心の移動方向と、乾燥機構７３の重心の移動方向とが逆向きに構成されている。噛み砕いて説明すると、バランスユニット７１は、インクヘッドユニット７２と同じタイミングで、即ち、同期して同じ方向へ移動するように構成されている。さらに、バランスユニット７１およびインクヘッドユニット７２は、乾燥機構７３と同じタイミングで、即ち、同期して逆方向へ移動するように構成されている。
【００５１】
その結果、前述した実施形態と同様に二つの作用効果を得ることができる。  
一つ目の作用効果として、インクヘッドユニット７２、乾燥機構７３およびバランスユニット７１が幅方向Ｘに移動する際、乾燥機構７３の重心移動により生じる力と、インクヘッドユニット７２およびバランスユニット７１の仮想重心移動により生じる力とを相殺させることができる。そして、幅方向Ｘにおけるプリンタ全体としての重心を安定させることができる。即ち、幅方向Ｘにおける左右のバランスをとることができ、幅方向Ｘの振動を相殺させて無にすることができる。その結果、記録精度を向上させることができる。
【００５２】
また、二つ目の作用効果として、インクヘッドユニット７２、乾燥機構７３およびバランスユニット７１が幅方向Ｘに移動する際、乾燥機構７３の重心移動による回転モーメントと、インクヘッドユニット７２およびバランスユニット７１の仮想重心移動による回転モーメントとを相殺させることができる。そして、プリンタ全体として生じる回転モーメントを無にすることができる。具体的には、Ｚ軸を軸とした回転モーメントおよびＹ軸を軸とした回転モーメントが生じる虞がない。その結果、記録精度をより向上させることができる。
【００５３】
他の実施形態１のプリンタ１は、被記録媒体の一例である用紙Ｐの送り方向Ｙに対する幅方向Ｘに移動し、用紙Ｐに対してインクを吐出するインクヘッドユニット７２と、インクヘッドユニット７２より送り方向下流側に設けられ、インクヘッドユニット７２と同期して幅方向Ｘにおいてインクヘッドユニット７２の移動方向と逆方向へ該乾燥機構７３の重心が移動し、用紙Ｐ上のインクを乾燥する乾燥機構７３と、インクヘッドユニット７２および乾燥機構７３のうち質量が小さい方（他の実施形態１ではインクヘッドユニット７２）と同期して幅方向Ｘにおいて該小さい方（他の実施形態１ではインクヘッドユニット７２）の重心が移動する方向と同じ方向へ移動するバランスユニット７１と、を備えている。
【００５４】
さらに、バランスユニット７１の質量（例えば、５００ｇ）は、乾燥機構７３が単体である場合、インクヘッドユニット７２の質量（例えば、５００ｇ）と、乾燥機構７３の質量（例えば、１０００ｇ）との差分であり、バランスユニット７１は、バランスユニット７１と前記小さい方（他の実施形態１ではインクヘッドユニット７２）とが一体と考えた場合の重心である仮想重心の移動軌跡である第１軌跡Ｋ１が、インクヘッドユニット７２および乾燥機構７３のうち質量が大きい方（他の実施形態１では乾燥機構７３）の重心の移動軌跡である第２軌跡Ｋ２と同軸上となるように構成されていることを特徴とする。
【００５５】
［他の実施形態２］
図４に示すのは、他の実施形態２に係るプリンタの全体の概略を示す側面図である。また、図５に示すのは、他の実施形態２に係るプリンタの全体の概略を示す平面図である。  
図４および図５に示す如く、他の実施形態２のバランスユニットはプレヒート部に設けられている。  
尚、特に説明する部材以外は、前述した実施形態と同様であるので、同じ符号を用いると共にその説明は省略する。また、インクヘッドユニット４１の質量は、乾燥機構５１の質量より大きいものとする。  
例えば、インクヘッドユニット４１の質量を１０００ｇ、乾燥機構５１の質量を５００ｇとした場合、バランスユニット７５の質量は５００ｇとなる。
【００５６】
他の実施形態２のバランスユニット７５は、前述した実施形態と同様に、幅方向Ｘに移動可能に設けられている。また、バランスユニット７５は、乾燥機構５１の第１温風ヘッド５３と同様の構成である第２温風ヘッド７６を有している。即ち、バランスユニット７５は、前述したモーメントを相殺する機能に加え、加熱手段（第２温風ヘッド７６）としての機能も兼ね備えている。
【００５７】
従って、プレヒート部３０において、用紙Ｐに対して、裏面からの加熱に加え、表面からも加熱することができる。その結果、前述した実施形態と比較して、より効率的に用紙Ｐを温めることができる。即ち、用紙Ｐにおけるインクが着弾する表面を温めることにより、記録時におけるインクの乾燥をより促進することができる。用紙Ｐに厚みがある場合に特に有効である。また、予備加熱時用紙支持部３３に凹凸がある場合、予備加熱手段３４から用紙Ｐの裏面に伝達する熱が場所により均一でない虞がある。係る場合、表面側から均一に温めることができるので、有効である。
【００５８】
また、記録前の段階において、用紙Ｐの表面に付着したゴミ等の異物を、温風を吹付けることによって、除去することができる。その結果、記録部４０において吐出されたインクを確実に用紙Ｐの表面に直に着弾させることができる。即ち、異物にインクが着弾して用紙Ｐに着弾しないことによる未記録箇所、所謂、白抜けが生じることを防止することができる。
【００５９】
他の実施形態２において、インクヘッドユニット４１の質量（例えば、１０００ｇ）は、乾燥機構５１の質量（例えば、５００ｇ）より大きい構成であって、バランスユニット７５は、インクヘッドユニット４１より送り方向上流側に設けられ、用紙Ｐを加熱する加熱手段の一例である第２温風ヘッド７６を有することを特徴とする。  
また、他の実施形態２において、バランスユニット７５の加熱手段は、温風を発生させる温風発生手段としての第２温風ヘッド７６を有し、用紙Ｐの表面に対して温風を送る構成であることを特徴とする。
【００６０】
またさらに、他の実施形態２において、インクヘッドユニット４１と対向し、用紙Ｐを支持する第１媒体支持部としての記録時用紙支持部４３と、記録時用紙支持部４３より送り方向上流側に設けられバランスユニット７５と対向し、用紙Ｐを支持する第２媒体支持部としての予備加熱時用紙支持部３３と、予備加熱時用紙支持部３３に設けられ、用紙Ｐを予備加熱する予備加熱手段３４と、を有することを特徴とする。
【００６１】
［他の実施形態３］
図６に示すのは、他の実施形態３に係る乾燥機構の概略を示す平面図である。また、図７に示すのは、他の実施形態３に係る乾燥機構の概略を示す正面図である。  
尚、特に説明する部材以外は、前述した実施形態と同様であるので、同じ符号を用いると共にその説明は省略する。  
図６および図７に示す如く、他の実施形態３の乾燥機構８０の温風ヘッド８１は、送り方向Ｙに配列された三つの送風口として第１送風口８２、第２送風口８３および第３送風口８４を有している。
【００６２】
言い換えると、一つの長尺な送風口を第１送風口８２〜第３送風口８４の三つに分割した態様である。  
ここで、「送風口」は、温風を用紙Ｐに対して吹出す開口である。  
尚、送風口の数は、２以上の複数であればよいが３以上の複数であることが望ましい。用紙Ｐの姿勢をバランス良く安定させることができるからである。他の実施形態３では、三つを例として説明するが、これに限られるものではない。
【００６３】
そして、第１送風口８２〜第３送風口８４の向きは、幅方向Ｘに互い違いになるようにＺ軸に対して傾いている。送り方向Ｙにおいて、第１送風口８２〜第３送風口８４が乾燥領域と対向しているおり、乾燥機構８０が幅方向Ｘへ移動することにより、用紙Ｐの表面のインクを乾燥させることができる。  
ここで、仮に、送風口がＺ軸に対して傾いていない場合、用紙Ｐに対して垂直に風が吹付けられる。
【００６４】
このとき、送風口が用紙Ｐの側端と対向すると、吹付けられた風が用紙Ｐの側端の下側に回り込み、用紙Ｐの側端を上方へめくり上げる虞がある。係る場合、用紙Ｐ全体の位置がずれる虞がある。そして、用紙Ｐにおける送り方向上流側の位置がずれると、用紙Ｐに対する記録がずれる。また、上流側の端部もめくり上がることにより、インクヘッドユニット４１と接触して汚れる虞がある。所謂、ヘッド擦れである。
【００６５】
そこで、他の実施形態３では、前述したように、第１送風口８２〜第３送風口８４の向きを幅方向Ｘに互い違いに傾けている。  
従って、乾燥機構８０が用紙Ｐの側端と対向した際、側端の下面に入り込む風量を、前記垂直に風が吹付けられる構成と比較して、低減することができる。その結果、吹付けられた風が側端の下面に入り込むことによって該側端がめくり上がる虞を低減することができる。これにより、用紙Ｐの位置がずれる虞がない。また、めくり上がることにより用紙Ｐがインクヘッドユニット４１等と接触することを防止することができ、該接触することによる汚れを防止することができる。  
第３サクションベルト機構５４における下方への吸引力が十分でない場合に特に有効である。
【００６６】
他の実施形態３において、乾燥機構８０は、対流式であって、送り方向Ｙに２以上の複数個配列され、気体を送出する送出口として第１送風口８２、第２送風口８３および第３送風口８４を有し、該複数の送出口である第１送風口８２、第２送風口８３および第３送風口８４の向きは、幅方向Ｘへ互い違いに傾いて用紙Ｐに向けられる構成であることを特徴とする。
【００６７】
［他の実施形態４］
図８に示すのは、他の実施形態４に係る乾燥機構の概略を示す平面図である。また、図９に示すのは、他の実施形態４に係る乾燥機構の概略を示す正面図である。  
尚、特に説明する部材以外は、前述した実施形態と同様であるので、同じ符号を用いると共にその説明は省略する。  
図８および図９に示す如く、他の実施形態４の乾燥機構９０の温風ヘッド９１は、送り方向Ｙに独立に配列された三つの第１ブロックユニット９２、第２ブロックユニット９３および第３ブロックユニット９４を有している。
【００６８】
そして、第１ブロックユニット９２には温風を吹出す送風口として第１送風口９２ａが、第２ブロックユニット９３には第２送風口９３ａが、第３ブロックユニット９４には第３送風口９４ａが、それぞれ設けられている。言い換えると、一つの長尺な温風ヘッド９１を第１ブロックユニット９２〜第３ブロックユニット９４の三つに分割した態様である。  
尚、ブロックユニットの数は、３以上の奇数であればよい。他の実施形態４では、三つを例として説明するが、これに限られるものではない。
【００６９】
そして、第１ブロックユニット９２〜第３ブロックユニット９４は、互い違いの位相関係を有している。さらに、互い違いの方向へ移動するように構成されている。また、移動するタイミングは、それぞれ同期している。  
尚、第１ブロックユニット９２〜第３ブロックユニット９４は、それぞれ図示しないガイド軸によって幅方向Ｘへ案内されると共に、図示しないモータの動力によって移動するものとする。
【００７０】
上記構成により、前述した他の実施形態３と同様の効果を得ることができる。  
具体的には、乾燥機構９０が用紙Ｐの側端と対向した際、一の側端の下面に入り込む風量を、ブロックユニットに分かれていない構成と比較して、半減することができる。そして、吹付ける風量を幅方向両側に分散させることができる。その結果、吹付けられた風が一の側端の下面に入り込むことによって該一の側端がめくり上がる虞を低減することができる。これにより、用紙Ｐの位置がずれる虞がない。また、めくり上がることにより用紙Ｐがインクヘッドユニット４１等と接触することを防止することができ、該接触することによる汚れを防止することができる。
【００７１】
また、乾燥機構９０の全体でみた場合の重心移動による幅方向Ｘに振動を低減することができる。  
尚、乾燥機構９０を第１ブロックユニット９２〜第３ブロックユニット９４の複数のブロックユニットによって構成した場合、前述したバランスユニット３１（図１および図２参照）の質量および位置は、第１ブロックユニット９２〜第３ブロックユニット９４を一体として考えた仮想重心の概念を用いて乾燥機構９０全体と、インクヘッドユニット４１との関係により決められる。  
または、前述したバランスユニット３１（図１および図２参照）の質量は、一の方向へ移動する複数の物体（バランスユニット３１を除く）の質量の和と、一と反対である他の方向へ移動する複数の物体（バランスユニット３１を除く）の質量の和との差分としてもよい。結果的には同じとなる。
【００７２】
例えば、インクヘッドユニット４１の質量を１０００ｇ、第１ブロックユニット９２〜第３ブロックユニット９４それぞれの質量を１００ｇとする。  
係る場合、バランスユニット３１の質量は、インクヘッドユニット４１の質量（例えば、１０００ｇ）とインクヘッドユニットの移動方向と同じ方向へ同期して移動する第２ブロックユニット９３の質量（例えば、１００ｇ）との和（例えば、１１００ｇ）と、インクヘッドユニット４１の移動方向と逆方向へ同期して移動する第１ブロックユニット９２の質量（例えば、１００ｇ）および第３ブロックユニット９４の質量（例えば、１００ｇ）の和（例えば、２００ｇ）との差分（例えば、９００ｇ）となる。
【００７３】
さらに、バランスユニット３１（図１および図２参照）の位置は、バランスユニット３１は、バランスユニット３１と第１ブロックユニット９２と第３ブロックユニット９４とが一体と考えた場合の重心である仮想重心の移動軌跡である第１軌跡（前述したＪ１に相当）が、インクヘッドユニット４１と第２ブロックユニット９３とが一体と考えた場合の重心である仮想重心の移動軌跡である第２軌跡（前述したＪ２に相当）と同軸上となるように構成されている。
【００７４】
その結果、前述した実施形態と同様の作用効果を得ることができる。具体的には、一つ目の作用効果として、インクヘッドユニット４１、第１ブロックユニット９２〜第３ブロックユニット９４およびバランスユニット３１が幅方向Ｘに移動する際、インクヘッドユニット４１および第２ブロックユニット９３の仮想重心移動により生じる力と、第１ブロックユニット９２、第３ブロックユニット９４およびバランスユニット３１の仮想重心移動により生じる力とを相殺させることができる。そして、幅方向Ｘにおけるプリンタ全体としての重心を安定させることができる。即ち、幅方向Ｘにおける左右のバランスをとることができ、幅方向Ｘの振動を相殺して無にすることができる。その結果、記録精度を向上させることができる。
【００７５】
また、二つ目の作用効果として、インクヘッドユニット４１、第１ブロックユニット９２〜第３ブロックユニット９４およびバランスユニット３１が幅方向Ｘに移動する際、インクヘッドユニット４１および第２ブロックユニット９３の仮想重心移動による回転モーメントと、第１ブロックユニット９２、第３ブロックユニット９４およびバランスユニット３１の仮想重心移動による回転モーメントとを相殺させることができる。そして、プリンタ全体として生じる回転モーメントを無にすることができる。  
具体的には、Ｚ軸を軸とした回転モーメントおよびＹ軸を軸とした回転モーメントが生じる虞がない。その結果、記録精度をより向上させることができる。
【００７６】
他の実施形態４において、乾燥機構９０は、対流式であって、送り方向Ｙに３以上の奇数個配列され、それぞれ気体を送出する送風ユニットとしての第１ブロックユニット９２、第２ブロックユニット９３および第３ブロックユニット９４を有し、一のブロックユニットの質量（例えば、１００ｇ）は、インクヘッドユニット４１の質量（例えば、１０００ｇ）より小さく設けられており、第１ブロックユニット９２、第２ブロックユニット９３および第３ブロックユニット９４の移動方向は、幅方向Ｘへ互い違いにそれぞれ異なる構成であって、前記互い違いの前記奇数個のうちの数が少ない方の送風ユニットである第２ブロックユニット９３の移動方向は、インクヘッドユニット４１の移動方向と同じ方向であり、前記互い違いの前記奇数個のうちの数が多い方の送風ユニットである第１ブロックユニット９２および第３ブロックユニット９４の移動方向は、インクヘッドユニット４１の移動方向と逆方向である。
【００７７】
さらに、バランスユニット３１の質量は、第２ブロックユニット９３の質量（例えば、１００ｇ）およびインクヘッドユニット４１の質量（例えば、１０００ｇ）の和（例えば、１１００ｇ）と、第１ブロックユニット９２の質量（例えば、１００ｇ）および第３ブロックユニット９４の質量（例えば、１００ｇ）の和（例えば、２００ｇ）との差分（例えば、９００ｇ）であり、バランスユニット３１の移動方向は、インクヘッドユニット４１の移動方向と逆方向であり、バランスユニット３１は、バランスユニット３１と第１ブロックユニット９２と第３ブロックユニット９４とが一体と考えた場合の重心である仮想重心の移動軌跡である第１軌跡（前述したＪ１に相当）が、インクヘッドユニット４１と第２ブロックユニット９３とが一体と考えた場合の重心である仮想重心の移動軌跡である第２軌跡（前述したＪ２に相当）と同軸上となるように構成されていることを特徴とする。
【００７８】
尚、ブロックユニットの数は、３以上の奇数であればよいと説明したが、これは、３以上の奇数に構成すると前述したバランスユニットとの関係においてバランス的によいからである。用紙の側端の下面に入り込む風量を低減させる目的だけであれば、ブロックユニットの数を２以上の複数に構成してもよい。  
乾燥機構９０は、対流式であって、送り方向Ｙに２以上の複数個配列され、それぞれ気体を送出する送風ユニットとしての第１ブロックユニット９２、第２ブロックユニット９３および第３ブロックユニット９４を有し、該それぞれの送風ユニットである第１ブロックユニット９２、第２ブロックユニット９３および第３ブロックユニット９４の移動方向は、幅方向Ｘへ互い違いに異なる構成であるとしてもよい。
【００７９】
また、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００８０】
【図１】本発明に係るプリンタの全体の概略を示す側面図。
【図２】本発明に係るプリンタの全体の概略を示す平面図。
【図３】他の実施形態１に係るプリンタの全体の概略を示す平面図。
【図４】他の実施形態２に係るプリンタの全体の概略を示す側面図。
【図５】他の実施形態２に係るプリンタの全体の概略を示す平面図。
【図６】他の実施形態３に係る乾燥機構の概略を示す平面図。
【図７】他の実施形態３に係る乾燥機構の概略を示す正面図。
【図８】他の実施形態４に係る乾燥機構の概略を示す平面図。
【図９】他の実施形態４に係る乾燥機構の概略を示す正面図。
【図１０】従来技術のプリンタの概略を示す平面図。
【符号の説明】
【００８１】
１  プリンタ（記録装置）、１０  給送部、２０  紙揃え部、３０  プレヒート部、
３１  バランスユニット、３２  第１サクションベルト機構、
３３  予備加熱時用紙支持部、３４  予備加熱手段、４０  記録部、
４１  インクヘッドユニット、４２  第２サクションベルト機構、
４３  記録時用紙支持部、５０  ポストヒート部、５１  乾燥機構、５２  加熱手段、
５３  （第１）温風ヘッド、５４  第３サクションベルト機構、
５５  乾燥時用紙支持部、６０  排出部、
７１  （他の実施形態１の）バランスユニット、７２  インクヘッドユニット、
７３  乾燥機構、７５  （他の実施形態２の）バランスユニット、
７６  第２温風ヘッド、８０  （他の実施形態３の）乾燥機構、８１  温風ヘッド、
８２  第１送風口、８３  第２送風口、８４  第３送風口、
９０  （他の実施形態４の）乾燥機構、９１  温風ヘッド、
９２  第１ブロックユニット、９２ａ  第１送風口、９３  第２ブロックユニット、
９３ａ  第２送風口、９４  第３ブロックユニット、９４ａ  第３送風口、
１００  （従来技術の）プリンタ、１０１  印字ヘッド、１０２  ダミーヘッド、
Ｊ１  第１軌跡、Ｊ２  第２軌跡、Ｋ１  （他の実施形態１の）第１軌跡、
Ｋ２  第２軌跡、Ｐ  用紙、Ｗ１  （乾燥機構の）待機位置、
Ｗ２  （インクヘッドユニットの）待機位置、Ｘ  幅方向、Ｙ  送り方向、Ｚ  鉛直方向
【図１】
2010125833.tif 000003
【図２】
2010125833.tif 000004
【図３】
2010125833.tif 000005
【図４】
2010125833.tif 000006
【図５】
2010125833.tif 000007
【図６】
2010125833.tif 000008
【図７】
2010125833.tif 000009
【図８】
2010125833.tif 000010
【図９】
2010125833.tif 000011
【図１０】
2010125833.tif 000012